(57)【特許請求の範囲】
【請求項１】
所定の間隔で、スチロール樹脂発泡体からなるスペーサ（１１）を天井下地面（１）と壁面（２）の入隅にホットメルト接着剤（１２）により接着固定し、
これらのスペーサ（１１）を当たり出しとして利用して、野縁受け（４）を、天井下地面（１）から所定の距離だけ下方の位置において、水平となるように壁面（２）に取り付け、
前記野縁受け（４）の間に野縁（３）を架け渡し、
前記野縁（３）と前記天井下地面（１）の間に、上下の面（１０ａ、１０ｂ）にホットメルト接着剤（１２）を塗布したスチロール樹脂発泡体からなるスペーサ（１０）を装着して、野縁（３）のレベル出しを行うと同時に、当該野縁（３）の仮固定を行い、
多孔質の弾性体に接着剤（５２）を含浸させた構成の接着固定部材（５）を、前記接着剤（５２）が未硬化状態において、一定のピッチで、野縁（３）と天井下地面（１）の間に装着し、
接着固定部材（５）の接着剤（５２）が硬化すると、接着固定部材（５）はその弾性特性が失われて剛体となり、水平に保持されている野縁（３）を天井下地面（１）に接着固定した状態を形成することを特徴とする野縁の施工方法。
【発明の詳細な説明】
【０００１】
【発明の属する技術分野】
本発明は野縁の施工法に関する。
【０００２】
【従来の技術】
本願人は、特開平７−９１０１５号公報、同９−７２０３９号公報等において、発泡性接着剤を含浸させた弾性スペーサを挟み、ボード類を壁面、天井面に貼りつけ、接着剤が硬化するまでの間、アジャスタピンを用いてボード類のレベル出し、仮固定を行う工法を提案している。
【０００３】
【発明が解決しようとする課題】
本発明の課題は、野縁のレベル出し等を簡単な作業により行うことのできる野縁の施工方法を提案することにある。
【０００４】
【課題を解決するための手段】
上記の課題を解決するために、本発明の野縁の施工方法は、所定の間隔で、スチロール樹脂発泡体からなるスペーサ（１１）を天井下地面（１）と壁面（２）の入隅にホットメルト接着剤（１２）により接着固定し、
これらのスペーサ（１１）を当たり出しとして利用して、野縁受け（４）を、天井下地面（１）から所定の距離だけ下方の位置において、水平となるように壁面（２）に取り付け、
前記野縁受け（４）の間に野縁（３）を架け渡し、
前記野縁（３）と前記天井下地面（１）の間に、上下の面（１０ａ、１０ｂ）にホットメルト接着剤（１２）を塗布したスチロール樹脂発泡体からなるスペーサ（１０）を装着して、野縁（３）のレベル出しを行うと同時に、当該野縁（３）の仮固定を行い、
弾性体に接着剤（５２）を含浸させた構成の接着固定部材（５）を、前記接着剤（５２）が未硬化状態において、一定のピッチで、野縁（３）と天井下地面（１）の間に装着し、
接着固定部材（５）の接着剤（５２）が硬化すると、接着固定部材（５）はその弾性特性が失われて剛体となり、水平に保持されている野縁（３）を天井下地面（１）に接着固定した状態を形成することを特徴としている。
【０００５】
【発明の実施の形態】
以下に、図面を参照して本発明を適用した天井構造およびその施工法の一例を説明する。
【０００６】
（天井構造）
図１および図２は本例による天井構造を示す図であり、それぞれ直交する面で切断した場合の断面図である。これらの図において、１はコンクリート製の天井下地面（基準面）であり、２はコンクリート製の壁面（基準面）である。天井下地面１の下側には、約１０ｍｍ程度の間隔で、野縁３が例えば４５０ｍｍピッチで平行に配列されている。これらの野縁３は例えば、溝型の軽量鉄骨を用いることができる。これらの野縁３の端は、壁面２の表面に水平に取り付けた野縁受け４によって支持されている。野縁受け４は例えばＬ型の軽量鉄骨を用いることができる。
【０００７】
野縁３と天井下地面１の間には、６００ｍｍ乃至１０００ｍｍ程度のピッチで、接着固定部材５が装着されている。この接着固定部材５は、直方体形状の多孔質の弾性体５１に硬化型接着剤５２を含浸させ、その接着剤が未硬化の状態のうちに、これらの部材３、１の間に装着して硬化させたものである。
【０００８】
多孔質の弾性体としては合成樹脂製連続気泡体を用いることが望ましい。また、硬化型接着剤としては、発泡ウレタン樹脂を用いることが望ましい。このように、各野縁３は、両端が野縁受け４で支持されていると共に、中間の部分が、接着固定部材５によって天井下地面１に接着固定されている。
【０００９】
各野縁３は、その開口側が上を向く状態に取り付けられており、接着固定部材５を構成している弾性体５１が野縁の内側に押し込まれた状態で硬化している。従って、野縁３は強固に天井下地面１に接着固定されている。
【００１０】
野縁３の下面には、ビス６を用いて、天井下地用ボード７、例えばプラスターボードが張り付けられている。この天井下地用ボード７の下面には天井仕上げボード等（図示せず）が張り付けられて天井面が形成されている。
【００１１】
ここで、天井下地面１と野縁３の間には、所定の間隔で、スペーサ１０が挟み込まれている。スペーサ１０は、一般にスタイロフォームと呼ばれている断熱材として広く使用されているスチロール樹脂発泡体からなり、例えば、直方体形状をしている。各スペーサ１０は、その上下面１０ａ、１０ｂがそれぞれホットメルト接着剤１２によって天井下地面１および野縁３の双方に接着固定されている。同様に、野縁受け４と天井下地面１の間にもスペーサ１１がホットメルト接着剤１２によって接着固定されている。
【００１２】
（施工方法）
この構成の天井の施工に当たっては次のようにして、野縁３のレベル出しを行い、天井下地面１に仮止めしている。この手順を説明すると、まず、所定の間隔で、スペーサ１１を天井下地面１と壁面２の入隅にホットメルト接着剤１２により接着固定する。これらのスペーサ１１を当たり出しとして利用して、野縁受け４を、天井下地面１から所定の距離だけ下方の位置において、水平となるように壁面２に取り付ける。
【００１３】
次に、これら野縁受け４の間に野縁３を架け渡す。また、野縁３と天井下地面１の間に、上下の面１０ａ、１０ｂにホットメルト接着剤１２を塗布したスペーサ１０を装着して、野縁３のレベル出しを行うと同時に、その仮固定を行う。スペーサ１０は予め用意されている各種の厚さのものから選択したものでもよいし、棒状あるいは板状のスチロール樹脂発泡体からカッターを用いて所定の厚さに切り出したものを用いてもよい。使用する場所に応じて適切な厚さのスペーサ１０を用いることにより、野縁３のレベル出しを行うことができる。
【００１４】
野縁３のレベル出しおよび仮止めを行った後は、接着剤５２が未硬化状態にある接着固定部材５を一定のピッチで、野縁３と天井下地面１の間に装着する。接着固定部材５の接着剤５２が硬化すると、接着固定部材５はその弾性特性が失われて剛体となり、水平に保持されている野縁３を強固に天井下地面１に接着固定した状態を形成する。この後は、野縁３の下面に天井下地用ボード７を張る。
【００１５】
なお、必要に応じて、接着材５２が硬化するまでの間は、図３に示すように、アジャスタ金具８を一定のピッチ、例えば１０００ｍｍのピッチで野縁３の長手方向の側面に沿って天井下地面１に打ち込み、野縁３を水平状態に保持するようにしてもよい。
【００１６】
アジャスタ金具８は、先端が尖ったピン本体８１と、その頭部側の外周面に形成した雄ねじ部にねじ込まれているナット部材８２から構成されている。ピン本体８１をコンクリート製の天井下地面１に打ち込んだ後に、ナット部材８２を回して、野縁３の下面に押しつける。この結果、各アジャスタ金具８によって野縁が水平状態に保持される。接着剤硬化後は、アジャスタ金具８を取り外す。
【００１７】
このように本例の天井施工法においては、カッター等を用いて簡単に裁断できる加工性の良いスチロール樹脂発泡体からなるスペーサ１０、１１を用いて、野縁受け４、野縁３の当たり出し、レベル出し、あるいは仮止めを行うようにしている。スペーサ１０、１１の厚さは現場で簡単に調整できるので、部材のレベル出し等を簡単に行うことができる。
【００１８】
また、スペーサ１０、１１を瞬間接着できるホットメルト接着剤を用いて天井下地面、壁面に接着固定しているので、スペーサ１０、１１を用いたレベル出し、仮止め作業を簡単かつ短時間で行うことができる。
【００１９】
さらに、レベル出し、仮止め後には、スペーサ１０、１１は取り外されることなくそのままとされるので、それらの取り外し作業が不要であり、よって、作業性が改善される。
【００２０】
【発明の効果】
以上説明したように、本発明の野縁の施工方法では、スチロール樹脂発泡体からなるスペーサを、ホットメルト接着剤により、位置決め対象の部材と基準面の間に接着固定することにより、野縁受けの位置決め、野縁のレベル出し、仮止め等を行うようにしている。
【００２１】
スチロール樹脂発泡体はカッター等による加工性が良いので、現場において必要な厚さのスペーサを簡単に作成できる。また、ホットメルト接着剤により短時間にうちにスペーサを接着固定できる。よって、部材の位置決め作業を効率良く、しかも簡単に行うことが可能になる。
【図面の簡単な説明】
【図１】  本発明を適用して施工した天井構造を示す部分断面図である。
【図２】  図１の天井構造を直交する面で切断して見た場合の部分断面図である。
【図３】  図１の天井構造における野縁のレベル出しおよび仮止め状態を示す説明図である。
【符号の説明】
１  天井下地面
２  壁面
３  野縁
４  野縁受け
５  接着固定部材
５１  弾性体
５２  硬化型接着剤
６  ビス
７  天井下地用ボード
８  アジャスタ金具
１０、１１  スペーサ
１０ａ、１０ｂ  スペーサの面
１２  ホットメルト接着剤
【図１】
0004157651.tif 000002
【図２】
0004157651.tif 000003
【図３】
0004157651.tif 000004